(57)【要約】【課題】機能やデータの抽出を、短時間で確実に行うことのできる電子機器を提供すること。【解決手段】複数の機能やデータを有する電子機器において、複数の機能やデータにそれぞれキーワードを対応付けて記憶手段に保持しておく。新たにキーワードが所定の機能やデータに対し登録指定されると、当該機能やデータに対応付けて記憶手段に追加保持する。使用者によりキーワードが入力されて検索が指示されると、記憶手段を参照して一致するキーワードを検索し、対応する機能やデータを抽出し表示する。【選択図】  図２
2004227524.tif 000002
【特許請求の範囲】
【請求項１】
キー操作手段と、表示手段と、複数の機能やデータをファイルの形式で格納する記憶手段と、前記キー操作手段により指示されたファイルを実行する制御手段と、を備えた電子機器において、
前記記憶手段は、複数のファイルにキーワードを対応付けて保持するキーワード管理テーブルを備え、
前記制御手段は、所定のファイルに対し登録指定されたキーワードを前記キーワード管理テーブルに対応付けて登録し、前記キー操作手段により入力されたキーワードから前記キーワード管理テーブルを参照することにより所望のファイルを検索してファイルの名称を表示もしくは該当するファイルを実行するようにしたことを特徴とする電子機器。
【請求項２】
前記制御手段は前記キー操作部によりファイルが指定された上で対応するキーワードの一覧表示要求のあった際、前記キーワード管理テーブルを参照して前記表示手段に指定ファイルに対応するキーワードの一覧表示を行うことを特徴とする請求項１に記載の電子機器。
【請求項３】
前記制御手段は、前記指定ファイルに対応付けられたキーワードの一覧表示中において前記キー操作手段よりキーワードの追加登録が指示される事により、前記指定ファイルを対象としてキーワードの追加登録を行う事を特徴とする請求項２に記載の電子機器。
【請求項４】
前記記憶手段には、前記機能やデータのファイルに含まれてファイル形式を特定する識別子に対応付けてキーワードを記憶したキーワード識別子対応テーブルをさらに備え、
前記制御手段は、新たなファイルを前記記憶手段に格納する際に識別子を抽出するとともに、当該識別子により前記キーワード識別子対応テーブルを参照して対応するキーワードを特定し、前記新たなファイルに対応付けて登録することを特徴とする請求項１から３のいずれかに記載の電子機器。
【発明の詳細な説明】
【０００１】
【発明の属する技術分野】
本発明は、複数の機能やデータを格納し、所望の機能やデータの呼び出しを容易に行うことが可能な検索機能を有する電子機器に関する。
【０００２】
【従来技術】
近年、携帯電話機などの電子機器の高機能化に伴い、着信音や操作確認音や表示方法の切り替えなど、使用者の設定を行うべき機能が増加し細かなニーズに対応できるようになっている。その結果、機能を呼び出す際の操作も複雑になってきている。従来の電子機器においては、各機能の種類ごとに階層管理して表示部に表示させて理解しやすくし、使用者のキー入力により所望の機能を呼び出すよう構成していた。従来の階層管理による機能呼び出しを、携帯電話機の各種着信音の設定時を例に説明を行う。
【０００３】
図３は従来の携帯電話機の基本構成を示すブロック図である。アンテナ３０１および送受信部３０２は後述する図４に示す通信ネットワークに接続するための電波を送受する手段である。キー操作部３０３は多数のキーで構成されており、発信すべき電話番号の入力や各種機能の呼び出しおよび設定を行う手段、表示部３０４は各種情報を表示する手段、マイク３０５およびスピーカ３０６は通話を行う際などに用いられる音声を入出力する手段である。さらに、制御部３０７は図４の通信ネットワークに接続を行うための制御や、使用者からのキー操作部３０３の入力に応じた制御、その結果を表示部３０４に出力する制御などといった各種制御を行う手段である。そしてメモリ３０８は制御部３０７が制御を行う際に用いるプログラム等の格納や、ワークスペースに用いる手段である。
【０００４】
また、図４は図３に示したような携帯電話機が無線により接続される通信ネットワークを示す図であり、携帯電話機が無線接続すべき基地局４０１および４０２、基地局４０１および４０２の接続される通信網４０３、さらにサーバ４０４が接続されて構成されている。
【０００５】
図５は従来の携帯電話機の表示部３０４における表示画面の遷移図であり、ここに使用者のキー操作部３０３の入力により選択された機能が制御部３０７の制御により順次表示される。使用者が「着信音」の設定を変更したい場合、はじめにキー操作部３０３によりメニューを呼び出す操作を行うと、「メニュー」としてユーザーの設定を行うべき機能が表示部３０４にリスト表示される（Ｓ５０１）。Ｓ５０１では項目番号に対応付けて設定の大概念が表示され、音、表示、留守、管理の設定や内蔵されたゲーム等のアプリケーションの起動などがリストアップされている。ここでキー操作部３０３の指示により項目番号１番の「音設定」を選択すると、音の設定に関する項目がリストアップされる（Ｓ５０２）。Ｓ５０２でも項目番号に対応付けて設定可能項目が表示される。Ｓ５０２においても同様に項目番号１番の「着信音設定」を選択すると、音の設定の中でも特に着信音の設定に関する選択項目がリストアップされ（Ｓ５０３）、使用者の希望する機能を見つけることができる。なお、Ｓ５０１においてキー操作部３０３の指示により項目番号２番の「表示設定」を選択すると、表示の設定に関する選択項目がリストアップされる（Ｓ５０４）。また、Ｓ５０１において項目番号３番から５番を選択した場合や、Ｓ５０２において項目番号２番から５番を選択した場合も同様に対応する項目がリストアップされるがここでは省略する。このようにして機能の種類別の階層を掘り進んでいくことにより使用者の希望する機能を見つけることが可能となる。
【０００６】
また、特許文献１に示される通信システムにおいては、使用者がキーワードを入力すると、このキーワードを、あらかじめデータベースにおいて情報ごとに設定されたキーワードと照合することにより入力キーワードに対応した情報の件数や抄録を照会することのできるシステムが存在していた。
【０００７】
【特許文献１】
特開平７−６６８６７
【０００８】
【発明が解決しようとする課題】
しかしながら上述した従来の階層管理による電子機器においては、近年の機能数の増加に伴って階層が多く複雑となってきており、使用者が階層構成を完全に理解していなければ所望の機能の抽出のために結果的に多くの時間を費やしてしまうという問題点があった。
【０００９】
さらに、上述した特許文献１での機能検索は、あらかじめ情報ごとにデータベースの格納段階において設定されたキーワードについてのみの検索しか行われないため、使用者が使用可能なキーワードを知っていなければ、使用者の所望する情報を検索するのに予想外の時間を費やしてしまう可能性があった。
【００１０】
本発明は上述の点に鑑みてなされたもので、使用者の所望する機能などを短時間で抽出することを可能とした電子機器を提供する。
【００１１】
【課題を解決するための手段】
本発明の電子機器は、これらの課題を解決するためのものであり、キー操作手段と、表示手段と、複数の機能やデータをファイルの形式で格納する記憶手段と、キー操作手段により指示された機能やデータを実行する制御手段とを備え、記憶手段は、複数の機能やデータとキーワードを対応付けて保持するキーワード管理テーブルを備え、制御手段は、所定の機能やデータに対し登録指定されたキーワードをキーワード管理テーブルに対応付けて登録するキーワード登録手段と、キー操作手段により入力されたキーワードからキーワード管理テーブルを参照することにより所望のファイルを検索してファイルの名称を表示もしくは該当するファイルを実行する。
【００１２】
また本発明の電子機器は、制御手段はキー操作部により機能やデータが指定された上で対応するキーワードの一覧表示要求のあった際、キーワード管理テーブルを参照して表示手段に指定されたファイルに対応するキーワードの一覧表示を行うことが好ましい。
【００１３】
また本発明の電子機器は、制御手段は、指定ファイルに対応付けられたキーワードの一覧表示中においてキー操作手段よりキーワードの追加登録が指示される事により、指定ファイルを対象としてキーワードの追加登録を行う事が好ましい。
【００１４】
さらに本発明の電子機器は、記憶手段には、機能やデータのファイルに含まれてファイル形式を特定する識別子に対応付けてキーワードを記憶したキーワード識別子対応テーブルをさらに備え、制御手段は、新たなファイルを記憶手段に格納する際に識別子を抽出するとともに、当該識別子によりキーワード識別子対応テーブルを参照して対応するキーワードを特定し、新たなファイルに対応付けて登録することが好ましい。
【００１５】
【発明の実施の形態】
以下本発明の電子機器の実施の形態について携帯電話機を例に図面を用いて説明する。図１は本発明の携帯電話機の基本構成について示すブロック図であり、本発明は従来の図３に示す携帯電話機の特にメモリ３０８と制御部３０７をメモリ１０８と制御部１０７に変更することにより構成することができ、従来と同様の構成になる部分については同一の番号を付し、その説明を省略する。
【００１６】
はじめに、メモリ１０８の説明のため、機能プログラムの構成について説明する。メモリ１０８に格納される機能プログラムはファイル管理可能に構成されており、プログラム本体であるファイルデータ、プログラムの種類を示す拡張子を含むファイル名、そして検索を行う際のキーワードとが関連付けられて構成されている。また、画像などのデータについても機能プログラム同様にファイル管理されている。
【００１７】
次に図１を用いて本発明におけるメモリ１０８の管理を説明する。メモリ１０８内部にはプログラムやデータのファイルデータ本体を格納するファイルデータ管理領域１０８１、プログラムやデータに付されたファイル名をファイルデータ本体の格納アドレスとともに管理番号をもって登録するファイル名管理テーブル１０８２、ファイル名ごとに付されたキーワードをファイル名の管理番号とともに登録するキーワード管理テーブル１０８３、あらかじめファイル名の拡張子にキーワードを対応付けて多数記憶しておいたキーワード作成テーブル１０８４が構成されている。なお、メモリ１０８はメモリ３０８同様、制御部１０７が各種制御を行う際に用いる内部処理のプログラム等の格納、およびそのワークスペースとしても使用する。
【００１８】
例えば待ち受け画面に用いるような野球選手の画像データのファイル構成であれば、ファイルデータ本体がファイルデータ管理領域１０８１に格納され、その格納アドレスとともにファイル名「ｙａｋｙｕｓｅｎｓｙｕ．ｊｐｅｇ」がファイル名管理テーブル１０８２に管理番号を付して登録されている。さらに、この野球選手の画像データにあらかじめ設定されているキーワード「画像」がファイル名と管理番号により関連付けられてキーワード管理テーブル１０８３に登録されている。
【００１９】
ここで、キーワード管理テーブル１０８３は使用者の操作により参照が可能であり、制御部１０７は使用者からのキー操作部３０３により現在登録されているキーワードのリスト表示の指示が入力されると、キーワード管理テーブル１０８３を参照して現在登録されているキーワードを表示部３０４にリストアップする。ここで使用者がいずれかのキーワード（例えば「画像」）を選択すると、関連付けられている機能プログラムあるいはデータのファイル名を、管理番号をもとにファイル名管理テーブル１０８２をさらに参照してリストアップする。さらにこの状態でいずれかのファイル名（例えば「ｙａｋｙｕｓｅｎｓｙｕ．ｊｐｅｇ」）を選択すると選択したファイル名に関連付けられたキーワードがリストアップされる。
【００２０】
使用者がこのキーワードがリストアップされた状態においてキーワードの追加登録をキー操作部３０３により指示すると、制御部１０７はキーワード登録画面に表示を移行させる。キーワード登録画面において使用者がキー操作部３０３により追加すべきキーワード（例えば「待ち受け」および「野球」）を入力すると、制御部１０７は入力された追加キーワードをキーワード管理テーブル１０８３に当該ファイル名に管理番号によって対応付けて格納し、キーワードのリストをキーワードの追加された状態に更新表示させる。また、逆にキー操作部３０３によって指定したキーワードについて削除可能なように制御部１０７を構成してもよい。このような本発明の携帯電話機においては、ファイル名に対して付されているキーワードをテーブル管理しているため、ファイル名に対するキーワードのリスト表示が可能であり、使用者にとってキーワードの把握が容易に行えるようになるとともに、使用者の好みにキーワードの追加を行うことにも容易に対応することができる。
【００２１】
次に、新たな機能プログラムやデータを取得した際の処理について説明する。本発明の携帯電話機は図４に示したような、従来からの通信ネットワークに無線等で接続することにより、新たな機能プログラムやデータをダウンロードする事も可能である。本発明の携帯電話機は、基地局４０１や４０２を用い、通信網４０３を介してサーバ４０４が接続することができる。このサーバ４０４には多数の機能プログラムや画像などのデータが蓄積されており、使用者は本発明の携帯電話機のキー操作部３０３の操作で表示部３０４を確認しながら、基地局４０１や４０２、通信網４０３を介しサーバ４０４に接続した上で、所望の機能プログラムやデータをキー操作部３０３の操作により選択することでダウンロード指示を制御部１０７に行うことができる。制御部１０７はサーバ４０４と通信を行いながら使用者に指示された機能プログラムやデータをサーバ４０４から取得し、メモリ１０８に格納する。
【００２２】
また、通信ネットワークを用いたダウンロード以外にも、制御部１０７の制御の下、本発明の携帯電話機に接続あるいは内蔵されたデジタルカメラ（特に図示しない）などによっても、画像などのデータを新規にメモリ１０８に取得することもできる。
【００２３】
これらのようにして、メモリ１０８が新規に機能プログラムやデータを取得した際の格納処理について、ファイル名が「ｂａｓｅｂａｌｌｇａｍｅ．ａｐｃ」であり、キーワードがあらかじめ付加されていない野球ゲームの機能プログラムを格納する際を例に、図２（Ａ）を用いて説明する。
【００２４】
制御部１０７は、野球ゲームの機能プログラムがメモリ１０８に新規プログラムとして追加されるとき（Ｓ２０１）、まず当該画像データにあらかじめキーワードが付されているかを判断する（Ｓ２０２）。この例ではＳ２０２においてキーワードが付されていないと判断されるため（Ｓ２０２でＮ）、ファイル名を参照して「ｂａｓｅｂａｌｌｇａｍｅ．ａｐｃ」から「．」（ピリオド）を検出して、以降の「．ａｐｃ」部分を拡張子として抽出する（Ｓ２０３）。ここで、キーワード作成テーブル１０８４を参照し当該拡張子に対応したキーワードとして「アプリケーション」を抽出する（Ｓ２０４）。次に使用者が登録しておきたいキーワードを入力するよう制御部１０７は表示部３０４に表示して促す（Ｓ２０５）。ここで使用者が追加登録したいキーワードをキー操作部３０３により「野球」と入力し終えると、制御部１０７は当該機能プログラムのファイルデータ本体をファイルデータ格納領域１０８１に格納するとともに、その格納アドレスとファイル名に管理番号を付してファイル名管理テーブル１０８２に登録し、さらにキーワードをその管理番号とともにキーワード管理テーブル１０８３に登録し（Ｓ２０５）、格納処理を終了する。なお、Ｓ２０２において、新規プログラムや新規ファイルに既にキーワードが付されていると制御部１０７が判断すると（Ｓ２０２でＹ）、Ｓ２０５とＳ２０６の処理を行い、格納処理を終了する。
【００２５】
以上のようにキーワードを付して格納した機能プログラムやデータの呼出し手順について説明する。使用者が野球について自分の携帯電話機内にいかなる機能プログラムやデータが格納されていたのか確認したい場合を例に図２（Ｂ）を用いて説明する。
【００２６】
使用者がキー操作部３０３によってキーワード「野球」を入力し検索指示を行うと（Ｓ２１１）、まず制御部１０７はキーワード管理テーブル１０８３を参照し（Ｓ２１２）、一致するキーワード「野球」を探す（Ｓ２１３）。そして制御部１０７は、キーワードが一致するとして（Ｓ２１３でＹ）、かつ該当ファイルが複数件有るため（Ｓ２１４でＮ）、管理番号を元にファイル名「ｂａｓｅｂａｌｌｇａｍｅ．ａｐｃ」と「ｙａｋｙｕｓｅｎｓｙｕ．ｊｐｅｇ」をファイル名管理テーブル１０８２から該当するファイル名として抽出し表示部３０４にリスト表示する（Ｓ２１５）。その後、使用者がキー操作部３０３によりファイル名「ｂａｓｅｂａｌｌｇａｍｅ．ａｐｃ」を指定すると、制御部１０７は格納アドレスを元にファイルデータ格納領域に格納されるファイルデータを用いて野球ゲームを実行する（Ｓ２１７）。なお、Ｓ２１３で一致するキーワードが無いときには（Ｓ２１３でＮ）、検索を終了する。またＳ２１４でキーワードの一致するファイル名が１件のみであった場合（Ｓ２１４でＹ）には、使用者にリストから一々選択させる必要も無いため、Ｓ２１５とＳ２１６の処理をスキップしてＳ２１７の処理に移るように制御部１０７は制御する。
【００２７】
この様な本発明の携帯電話機においては、かつてダウンロードしたことが有るか否か使用者自身の記憶が定かでないような機能プログラムやデータを確認したい場合においても、短時間で見つけ出すことが可能となる。
【００２８】
さらに、ファイル名に対するキーワードをリストで確認することもできるため例えば「アプリケーション」というキーワードの存在を把握できていなくても、所望のファイル名に対応付けられたキーワードが確認できる。
【００２９】
また、使用者の好みのキーワードを容易に追加登録することができるため、あらかじめキーワードだけでなく、使用者個々が検索に用いたいキーワードに対する細かいニーズに対応することができる。
【００３０】
さらに使用者個々に機能プログラムやデータを新たに取得した場合にも、自動的にキーワードを付すことができるため、キーワード検索を行うことが可能となる。
【００３１】
なお、以上のように本発明の実施例について携帯電話機を用いて説明したが、携帯電話機だけでなく、電子手帳などの電子機器全般に利用可能である。
【００３２】
また、キーワード作成の際にファイル名に付加された拡張子を用いると実施例では示したが、拡張子に限定されるものではなく、ファイルデータ本体に関連付けられ、機能プログラムやデータの種類を一定の規格に基づいて特定できる識別子であればよい。
【００３３】
【発明の効果】
本発明によれば、必要に応じて随時機能やデータの検索に用いるキーワードが追加登録されるため、使用者にとってより短時間で検索漏れの無い、使いやすい検索機能を有する電子機器を提供することができる。
【図面の簡単な説明】
【図１】本発明による電子機器を説明するための構成例を示すブロック図である。
【図２】本発明による電子機器のキーワード追加登録の一例、および検索を説明する為のフローチャートである。
【図３】従来の携帯電話機の基本構成例を示すブロック図である。
【図４】従来の通信ネットワークの基本構成例を示すブロック図である。
【図５】従来の携帯電話機の表示画面の遷移を示す遷移図である。
【符号の説明】
１０７                                                制御部
１０８                                                メモリ
１０８１                                  ファイルデータ格納領域
１０８２                                            ファイル名管理テーブル
１０８３                                            キーワード管理テーブル
１０８４                                            キーワード作成テーブル
３０１                                                アンテナ
３０２                                                送受信部
３０３                                                キー操作部
３０４                                                表示部
３０５                                                マイク
３０６                                                スピーカ
３０７                                                制御部
３０８                                                メモリ
【図１】
2004227524.tif 000003
【図２】
2004227524.tif 000004
【図３】
2004227524.tif 000005
【図４】
2004227524.tif 000006
【図５】
2004227524.tif 000007